(57)【特許請求の範囲】
【請求項１】
一般式Ｉ
【化１】
0003572093.tif 000014
［式中、Ｒは水素、或いは随時置換されていてよいアシル、アルキル、アリール、アラル  キル、ヘテロアリール、又はヘテロアリールアルキル基を表わし；
Ａは水素、及び随時置換されていてもよいアシル、アルキル又はアリール基からなる群  からの単官能基を表わし、或いは基Ｚと連結する２官能基を表わし；
Ｅは電子吸引基を表わし；
Ｘは基−ＣＨ＝又は＝Ｎ−を表わし、但し基−ＣＨ＝はＨ原子の代りに基Ｚと連結する  ことができ；
Ｚは−Ｏ−Ｒ−、−Ｓ−Ｒ及び−ＮＲ−Ｒからなる群からの単官能基を表わし、或いは  基Ａ又は基Ｘと連結する２官能基を表わす］
で示される化合物を、魚における魚類に寄生するシラミを防除する薬剤の調製に使用する方法。
【請求項２】
一般式ＩＩ及びＩＩＩ
【化２】
0003572093.tif 000015
【化３】
0003572093.tif 000016
［式中、ｎは１又は２を表わし、
ｓｕｂｓｔ．はハロゲンを表わし、
Ａ、Ｚ、Ｘ及びＺは請求項１で記載した意味を有する］
で示される化合物を、魚における魚類に寄生するシラミを防除する薬剤の調製に使用する請求項１に記載の方法。
【請求項３】
式
【化７】
0003572093.tif 000017
で示される化合物を、魚における魚類に寄生するシラミを防除する薬剤の調製に使用する請求項１に記載の方法。
【請求項４】
カリグス（Ｃａｌｉｇｕｓ）、レペオフテイルス（Ｌｅｐｅｏｐｈｔｈｅｉｒｕｓ）及びアルグルス（Ａｒｇｕｌｕｓ）属からの、魚類に寄生するシラミを防除する薬剤の調製に、請求項１〜３のいずれかに記載の化合物を使用する方法。
【請求項５】
サケ科（Ｓａｌｍｏｎｉｄａｅ）における魚類に寄生するシラミを防除する薬剤の調製に、請求項１〜３のいずれかに記載の化合物を使用する方法。
【発明の詳細な説明】
【０００１】
本発明は昆虫のニコチン様（ｎｉｃｏｔｉｎｅｒｇｉｃ）アセチルコリン受容体の作働薬（ａｇｏｎｉｓｔｓ）又は拮抗薬（ａｎｔａｇｏｎｉｓｔｓ）を含有する薬剤を用いる魚類寄生虫の駆除に関する。
【０００２】
多くの養魚業者は魚類に寄生する甲殻類例えばサケシラミ又はウミシラミのような寄生虫によって引き起こされる魚類への損害のために実質的な経済的損害を受けている。これらの寄生虫に対して、メトリフオネート（ｍｅｔｒｉｐｈｏｎａｔｅ）又はジクロルボス（ｄｉｃｈｌｏｒｖｏｓ）を用いる処置は公知である。これらの活性物質は比較的高濃度で使用しなければならず、また長期間の処置を必要とする。
【０００３】
魚類寄生虫を駆除するための他の化合物はヨーロッパ公開特許第４０７，３４３号から公知である。
【０００４】
今回、昆虫のニコチン様アセチルコリン受容体の作働薬又は拮抗薬が魚類の寄生虫に対して用いるのに極めて適当であるということが発見された。
【０００５】
本発明に従って使用できる昆虫のニコチン様アセチルコリン受容体の作働薬又は拮抗薬は次の文献から公知である：
ヨーロッパ公開特許第４６４，８３０号、第４２８，９４１号、第４２５，９７８号、第３８６，５６５号、第３８３，０９１号、第３７５，９０７号、第３６４，８４４号、第３１５，８２６号、第２５９，７３８号、第２５４，８５９号、第２３５，７２５号、第２１２，６００号、第１９２，０６０号、第１６３，８５５号、第１５４，１７８号、第１３６，６３６号、第３０３，５７０号、第３０２，８３３号、第３０６，６９６号、第１８９，９７２号、第４５５，０００号、第１３５，９５６号、第４７１、３７２号、第３０２，３８９号；
独国公開特許第３，６３９，８７７号、第３，７１２，３０７号；
特公平３−２２０，１７６号、平２−２０７，０８３号、昭６３−３０７，８５７号、昭６３−２８７−７６４号、平３−２４６，２８３号、平４−９，３７１号、平３−２７９，３５９号、平３−２５５，０７２号；
米国特許第５，０３４，５２４号、第４，９４８，７９８号、第４，９１８，０８６号、第５，０３９，６８６号、第５，０３４，４０４号；
ＰＣＴ−ＷＯ第９１／１７，６５９号、第９１／４，９６５号；
仏国特許願第２，６１１，１１４号；
ブラジル国特許願第８８０３６２１号。
【０００６】
ここにこれらの刊行物に記述されている一般式及びその定義並びに個々の化合物を明瞭に参照することができる。
【０００７】
これらの化合物は一部ニトロメチレン類及びこれに関連する化合物という術語によって要約される。
【０００８】
これらの化合物は好ましくは一般式Ｉ
【０００９】
【化１】
0003572093.tif 000002
【００１０】
［式中、Ｒは水素、或いは随時置換されていてよいアシル、アルキル、アリール、アラルキル、ヘテロアリール、又はヘテロアリールアルキルを表わし、Ａは水素、アシル、アルキル又はアリールの群からの一価の基を表わし、或
いは基Ｚと連結する２価の基を表わし、
Ｅは電子吸引基を表わし、
Ｘは基−ＣＨ＝又は＝Ｎ−を表わし、但し基−ＣＨ＝がＨ原子の代りに基Ｚ
と連結してもよく、
0003572093.tif 000003
によって要約しうる。
【００１１】
式Ｉの特に好適な化合物は、各基が次の意味を有するものである：
Ｒは水素並びにアシル、アルキル、アリール、アラルキル、ヘテロアリール及びヘテロアリールアルキルの群からの随時置換された基を表わす。但し
アシル基はホルミル、アルキルカルボニル、アリールカルボニル、アルキルスルホニル、アリールスルホニル及びアルキルアリールホスホリルが言及でき、これらはその一部が置換されていてもよい。
【００１２】
アルキルはＣ１〜１０アルキル、特にＣ１〜４  アルキル、殊にメチル、エチル、ｉ−プロピル或いはｓｅｃ又はｔ−ブチルが言及でき、それらはその一部が置換されていてもよい。
【００１３】
アリールはフェニル又はナフチル、特にフェニルが言及できる。
【００１４】
アラルキルはフェニルメチル又はフェネチルが言及できる。
【００１５】
ヘテロアリールは環員数１０までの及びＮ、Ｏ又はＳ、特にＮをヘテロ原子として有するヘテロアリールが言及できる。チオフェニル、フリル、チアゾリル、イミダゾリル、ピリジル又はベンゾチアゾリルは特に言及しうる。
【００１６】
ヘテロアリールアルキルは環員数６までの及びＮ、Ｏ又はＳ特にＮをヘテロ原子として有するヘテロアリールメチル又はヘテロアリールエチルが言及しうる。
【００１７】
例として且つ好適に列挙しうる置換基は、炭素数が好ましくは１〜４、特に１又は２のアルキル、例えばメチル、エチル、ｎ−及びｉ−プロピル、及びｎ−、ｉ−及びｔ−ブチル；炭素数が好ましくは１〜４、特に１又は２のアルコキシ、例えばメトキシ、エトキシ、ｎ−及びｉ−プロポキシ、及びｎ−、ｉ−及びｔ−ブチロキシ；炭素数が好ましくは１〜４、特に１又は２のアルキルチオ、例えばメチルチオ、エチルチオ、ｎ−及びｉ−プロピルチオ、及びｎ−、ｉ−及びｔ−ブチルチオ；炭素数が好ましくは１〜４、特に１又は２の及び同一でも異なっても良く且つ好ましくは弗素、塩素又は臭素、特に弗素であるハロゲン原子数が好ましくは１〜５、特に１〜３のハロゲノアルキル、例えばトリフルオルメチル、或いはヒドロキシル；ハロゲン、好ましくは弗素、塩素、臭素及び沃素、特に弗素、塩素及び臭素；シアノ；ニトロ；アミノ；アルキル基当りの炭素数が好ましくは１〜４、特に１又は２のモノアルキルアミノ及びジアルキルアミノ、例えばメチルアミノ、メチルエチルアミノ、ｎ−及びｉ−プロピルアミノ、及びメチル−ｎ−ブチルアミノ；カルボキシル；炭素数が好ましくは２〜４、特に２又は３のカルバルコキシ、例えばカルボメトキシ及びカルボエトキシ；スルホ（−ＳＯ３Ｈ）；炭素数が好ましくは１〜４、特に１又は２のアルキルスルホニル、例えばメチルスルホニル及びエチルスルホニル；アリール炭素数が好ましくは６又は１０のアリールスルホニル、例えばフェニルスルホニル、並びにヘテロアリールアミノ及びヘテロアリールアルキルアミノ、例えばクロルピリジルアミノ及びクロルピリジルメチルアミノである。
【００１８】
Ａは水素を表わし、そして好ましくは上述した意味を有するアシル、アルキル及びアリールの群からの随時置換された基を表わす。更にＡは２価の基を表わす。言及しうるものは炭素数が１〜４、特に１〜２の随時置換されたアルキレンである。但しこの言及しうる置換基は上述したものである。
【００１９】
Ａ及びＺはそれらが結合する原子と一緒になって飽和又は不飽和のヘテロ環族環を形成してもよい。このヘテロ環族環は１又は２つの同一の又は異なるヘテロ原子及び／又はヘテロ基を更に含有しうる。ヘテロ原子は好ましくは酸素、硫黄又は窒素であり、またヘテロ基はＮ−アルキルである。ここにＮ−アルキル基のアルキルは炭素数が好ましくは１〜４、特に１又は２であり、言及しうるアルキルはメチル、エチル、ｎ−及びｉ−プロピル、及びｎ−、ｉ−及びｔ−ブチルである。またこのヘテロ環族環は環員数５〜７、好ましくは５又は６を有する。言及しうるヘテロ環族環の例はピロリジン、ピペリジン、ピペラジン、ヘキサメチレンイミン、モルフオリン及びＮ−メチルピペラジンである。
【００２０】
Ｅは電子吸引基を表わし、特にＮＯ２、ＣＮ又はハロゲノアルキルカルボニル、例えば１，５−ハロゲノ−Ｃ１〜４  カルボニル特にＣＯＣＦ３  を挙げることができる。
【００２１】
Ｘは−ＣＨ＝又は−Ｎ＝を表わす。
【００２２】
Ｚは随時置換されたアルキル、−ＯＲ、−ＳＲ又は−ＮＲＲを表わす、但しＲ及び置換基は好ましくは上述した意味を有する。
【００２３】
0003572093.tif 000004
のヘテロ環族環を形成してもよい。このヘテロ環族環は１又は２つの同一の又は異なるヘテロ原子及び／又はヘテロ基を更に含有しうる。ヘテロ原子は好ましくは酸素、硫黄又は窒素であり、またヘテロ基はＮ−アルキルである。ここにＮ−アルキル基のアルキルは炭素数が好ましくは１〜４、特に１又は２であり、言及しうるアルキルはメチル、エチル、ｎ−及びｉ−プロピル、及びｎ−、ｉ−及びｔ−ブチルである。またこのヘテロ環族環は環員数５〜７、好ましくは５又は６を有する。言及しうるヘテロ環族環の例はピロリジン、ピペリジン、ピペラジン、ヘキサメチレンイミン、モルフオリン及びＮ−メチルピペラジンである。
【００２４】
本発明に従って用いるのに非常に特に好適であり且つ言及することのできる化合物は、一般式ＩＩ及びＩＩＩ
【００２５】
【化２】
0003572093.tif 000005
【００２６】
［式中、ｎは１又は２を表わし、
ｓｕｂｓｔ．は上述した置換基の１つ、殊にハロゲン、特に塩素を表わし、
Ａ、Ｚ、Ｘ及びＺは上述した意味を有する］
【００２７】
【化３】
0003572093.tif 000006
【００２８】
［式中、基は上述した意味を有する］
の化合物である。
【００２９】
次の化合物は特に言及しうる：
【００３０】
【化４】
0003572093.tif 000007
【００３１】
【化５】
0003572093.tif 000008
【００３２】
【化６】
0003572093.tif 000009
【００３３】
既に述べたように、本発明で使用しうる化合物は魚類の寄生虫、特に魚類に寄生する甲殻類の駆除に対し、極だった効果を有して使用することができる。
【００３４】
これらには、属
エルガシルス（Ｅｒｇａｓｉｌｕｓ）
ブロモロクス（Ｂｒｏｍｏｌｏｃｈｕｓ）
コンドラカウシュス（Ｃｈｏｎｄｒｏｃａｕｓｈｕｓ）
カリグス（Ｃａｌｉｇｕｓ）［→カリグス・クルツス（ｃｒｕｔｕｓ）］
レペオフテイルス（Ｌｅｐｅｏｐｈｔｈｅｉｒｕｓ）［→Ｌ．サルモニル（Ｓａｌｍｏｎｉｓ）］
エリトロフオラ（Ｅｌｙｔｈｒｏｐｈｏｒａ）
ジケレスチヌム（Ｄｉｃｈｅｌｅｓｔｉｎｕｍ）
ランプログレンズ（Ｌａｍｐｒｏｇｌｅｎｚ）
ハチエキア（Ｈａｔｓｃｈｅｋｉａ）
レゴスフィルス（Ｌｅｇｏｓｐｈｉｌｕｓ）
シンフオズス（Ｓｙｍｐｈｏｄｕｓ）
セウドロラスス（Ｃｅｕｄｒｏｌａｓｕｓ）
プシュードシクムス（Ｐｓｅｕｄｏｃｙｃｍｕｓ）
レルナエ（Ｌｅｒｎａｅａ）
レルナエオセラ（Ｌｅｒｎａｅｏｃｅｒｏ）
ペンネラ（Ｐｅｎｎｅｌｌａ）
アクタレス（Ａｃｈｔｈａｌｅｓ）
バサニステル（Ｂａｓａｎｉｓｔｅｓ）
サルミンコラ（Ｓａｌｍｉｎｃｏｌａ）
ブラキエラ（Ｂｒａｃｈｉｅｌｌａ）
エピブラキエラ（Ｅｐｉｂｒａｃｈｉｅｌｌａ）
プシュードトラケリアステス（Ｐｓｅｕｄｏｔｒａｃｈｅｌｉａｓｔｅｓ）
並びに科
エルガシリデエ（Ｅｒｇａｓｉｌｉｄａｅ）
ブロモロキデエ（Ｂｒｏｍｏｌｏｃｈｉｄａｅ）
コンドラカンチデエ（Ｃｈｏｎｄｒａｃａｎｔｈｉｄａｅ）
カリジデエ（Ｃａｌｉｊｉｄａｅ）
ジケレスチイデエ（Ｄｉｃｈｅｌｅｓｔｉｉｄａｅ）
フイリクチイデエ（Ｐｈｙｌｉｃｈｔｈｙｉｄａｅ）
プシュードシクニデエ（Ｐｓｅｕｄｏｃｙｃｎｉｄａｅ）
レルネエイデエ（Ｌｅｒｎａｄｉａｅ）
レルネエポジデエ（Ｌｅｒｎａｅｐｏｄｉｄａｅ）
スフイリイデエ（Ｓｐｈｙｒｉｉｄａｅ）
セクロピデエ（Ｃｅｃｒｏｐｉｄａｅ）
の橈脚亜綱（Ｃｏｐｅｐｏｄａｅ）［シクロプス（ｃｙｃｌｏｐｓ）；サカナシラミ（ｆｉｓｈ−ｌｉｃｅ）、並びに科アルグリデエ（Ａｒｇｕｌｉｄａｅ）及び属アルグルス（Ａｒｇｕｌｕｓ）種の鰓尾目（Ｂｒａｎｃｈｉｕｒｉａｅ）（コイシラミ）、並びに蔓脚亜綱（Ｃｉｒｒｉｐｅｄｉａｅ）［シッリペデス（ｃｉｒｒｉｐｅｄｅｓ）；バーナクレス（ｂａｒｎａｃｌｅｓ）］及びセラトトア・ガウジチャウジイ（Ｃｅｒａｔｏｔｈｏａ  ｇａｕｄｉｃｈａｕｄｉｉ）がある。
【００３５】
魚類は食用魚、養殖魚、水族館の魚及び鑑賞魚の、真水、海水及び池水に住むすべての年令のものを含む。食用魚及び養食魚は例えばコイ、ウナギ、マス、シロマス、サケ、タイ、ローチ、ラッド、チャブ、シタビラメ、アカガレイ、カラスガレイ、ニホンアジ（Ｊａｐａｎｅｓｅ  ｙｅｌｌｏｗｔａｉｌ）［セリオラ・クインケラジアダ（Ｓｅｒｉｏｌａ  ｑｕｉｎｑｕｅｒａｄｉａｔｅ）］、ニホンウナギ［アングイラ・ジャポニカ（Ａｎｇｕｉｌｌａ  ｊａｐｏｎｉｃａ）］、コウカイタイ［パグルス・メジャー（Ｐａｇｕｒｕｓ  ｍａｊｏｒ）］、スズキ［ジセントラルクス・ラブラクス（Ｄｉｃｅｎｔｒａｒｃｈｕｓ  ｌａｂｒａｘ）：ボラ（ｇｒｅｙ  ｍｕｌｌｅｔ）［ムギルス・セフアルス（Ｍｕｇｉｌｕｓ  ｃｅｐｈａｌｕｓ）］、コバンアジ、地中海クロダイ（ｇｉｌｔｈｒｅａｄ  ｓｅａ  ｂｒｅａｍ）［スパルス・アウラツス（Ｓｐａｒｕｓ  ａｕｒａｔｕｓ）］、テラピア種、チクリド（ｃｈｉｃｈｌｉｄ）種例えばプラギオシオン（ｐｌａｇｉｏｓｃｉｏｎ）、ブチナマズを含む。本発明による薬剤は幼魚例えば体長２〜４ｃｍのコイの処置に特に適当である。この薬剤はウナギの飼育にも非常に適している。
【００３６】
魚類の処置は、例えば飼料を介しての経口的に或いは温泉療法例えば魚を入れておく且つ例えばある養食池から他の養食池へ移すことと関連して魚をある期間（数分間ないし数時間）保持する「中間池」での治療により行うことができる。特別な場合、処置は非経口的に、例えば注射によっても行ないうる。
【００３７】
一時的な又は永久的な処置は、魚の生息水で、例えば魚を保持する網かご、全池、水槽、タンク、又はプールで行ってもよい。
【００３８】
活性物質は使用に適した調製物の形で投与される。
【００３９】
経口用の調製物は粉剤、粒剤、溶液剤、乳化液濃厚剤又は懸濁液濃厚剤で、飼料添加物として飼料と均一に混合したものである。
【００４０】
池として使用するための或いは生息水を処置するための調製物は、粉剤、粒剤、乳化液濃厚物又は懸濁液濃厚物、乳化液又は懸濁液、錠剤又は活性物質それ自体である。組成物は希釈された又は希釈されてない形で使用者が使用しうる。
【００４１】
調製物は公知の方法で、例えば活性物質と固体又は液体物質との、随時更なる補助物質例えば乳化又は分散剤、可溶化剤、着色剤、抗酸化剤又は保存剤を添加しての混合、造粒及び／又は圧縮成形によって製造される。
【００４２】
普通の有機リン化合物と対比してニトロメチレンは、使用すべき濃度に対して一般に水に十分溶解し、従って未希釈で使用することができる。
【００４３】
しかしながら更に取り扱い易い調製物は活性物質が希釈形で存在するものである。魚類及び他の海水動植物に適当な希釈剤は液体又は固体であってよい無毒性物質及び更に本発明による使用直前の水である。
【００４４】
実際の使用に対しては、活性物質を、水に容易に溶解するマトリックス中に含むフィルム、又は活性物を拡散によって遊離するフィルムも適当である。活性物質それ自体、その微小形又は固体組成物は、密閉包装物と一緒に、水に溶解する包装物例えばポリビニルアルコール袋中で使用できる。この場合使用者は最早や活性物質又はその組成物に露呈されることがない。
【００４５】
半固体の適用形は、温泉療法に対しても使用できる。活性物質はそれが懸濁又は溶解しているグリース様又は脂肪マトリックスから洗い出される。この溶出は補助物質並びに活性物質の濃度及び形（表面）の選択によって制御できる。活性物質が存在する硬質脂肪の圧縮又は溶融物も経口用の場合に適当である。
【００４６】
本発明による希釈された薬剤は、式Ｉの活性物質を、組成物の抗寄生虫活性が施用と一致して最適に示されるように段階的混合及び／又は粉砕によって液体及び／又は固体補助組成物々質と接触させることにより製造される。
【００４７】
組成物製造工程は、混練り、造粒、及び随時圧縮成形、押出し又は成形（ペレット及び錠剤）によって補助することができる。
【００４８】
海洋の植物相及び動物相に有毒でない固体の担体物質、溶媒及び随時表面活性物質（表面活性剤）は例えば組成物補助物質として役立つ。
【００４９】
次の組成物補助物質は本発明の薬剤を製造するために使用される：
固体担体物質、例えばカオリン、タルク、ベントナイト、塩化ナトリウム、リン酸カルシウム、炭酸水素塩、セルロース粉末、綿実粉、又はポリエチレングリコールエーテル、随時結合剤、例えばゼラチン又は可溶性セルロース誘導体、更に必要ならば表面活性物質、例えばイオン性又は非イオン性分散剤；更に粉砕した天然石、例えばカルサイト、モントモリロナイト又はアタパルガイト。物理性を改善するために、高分散けい酸又は高分散吸着剤重合体も添加しうる。適当な粒状化した吸着性粒子担体は多孔性種例えば軽石、破砕したレンガ、海泡石又はベントナイト、及び適当な非吸着性担体材料は例えばカルサイト又は砂である。この他に複数の予じめ粉砕した無機又は有機性の材料例えば特にドロマイト又は粉砕した雑草材料も使用できる。吸着性有機材料例えばポリアクリレートも活性物質と混合し、使用することができる。
【００５０】
適当な溶媒は、芳香族炭化水素、好ましくはＣ８〜Ｃ１２留分、例えばキシレン混合物、或いは置換ナフタレン、フタレート例えばフタル酸ジブチル又はフタル酸ジオクチル；脂肪族炭化水素、例えばシクロヘキサン又はパラフィン、アルコール及びグリコール並びにそのエーテル及びエステル、例えばエタノール、エチレングリコール、エチレングリコールモノメチルエーテル又はエチルエーテル、ケトン、例えばシクロヘキサノン、強極性溶媒、例えばＮ−メチル−２−ピロリドン、ジメチルスルホキシド、又はジメチルホルムアミド、並びに随時エポキシ化された植物油、例えばエポキシ化ヤシ油又はダイズ油、及び水である。
【００５１】
各の場合、組成物にする式Ｉの活性物質の性質に依存して、適当な表面活性化合物は良好な乳化、分散及び湿潤性を有する非イオン性、カチオン性及び／又はアニオン性表面活性剤である。この表面活性剤は表面活性剤混合物も意味するものである。
【００５２】
適当なアニオン性表面活性剤は、所謂水溶性石けん並びに水溶性合成表面活性化合物である。
【００５３】
適当な石けんは高級脂肪酸（Ｃ１０〜Ｃ２２）のアルカリ金属塩、アルカリ土類金属塩又は随時置換されたアンモニウム塩、例えばオレイン酸又はステアリン酸の或いは例えばヤシ油又は動物油から得られる天然脂肪酸混合物のＮａ又はＫ塩である。
【００５４】
しばしば所謂合成表面活性剤、特に脂肪族スルホネート、脂肪族サルフェート、スルホン化ベンズイミダゾール誘導体又はアルキルスルホネートが使用される。
【００５５】
脂肪族スルホネート又は脂肪族サルフェートは、概してアルカリ金属塩、アルカリ土類金属塩、又は随時置換されたアンモニウム塩として存在し、またアシル基のアルキル基も含めて炭素数８〜２２のアルキル基を有する。その例はリグノスルホン酸、ドデシルサルフェート、又は天然脂肪酸に由来する脂肪族アルコールサルフェート混合物のＮａ又はＣａ塩である。これらには脂肪族アルコール−エチレンオキシド付加物の硫酸エステル及びスルホン酸の塩がある。スルホン化ベンズイミダゾール誘導体は好ましくは２つのスルホン酸基と炭素数８〜２２の１つの脂肪酸基を含む。アルキルアリールスルホネートは例えばドデシルベンゼンスルホン酸、ジブチルナフタレンスルホン酸又はナフタレンスルホン酸−ホルムアルデヒド縮合生成物のＮａ、Ｃａ又はトリエタノールアミン塩である。更に対応するホスフェート例えばｐ−ノニルフェノール−（４−１４）−エチレンオキシド付加物のリン酸エステル又はリン脂質の塩を組成物の補助物質として用いてもよい。
【００５６】
適当な非イオン性表面活性剤は、第１例としてグリコールエーテル基３〜３０及び（脂肪族）炭化水素基の炭素数８〜２０及びアルキルフェノールのアルキル基の炭素数６〜１８を有していてよい脂肪族又は脂環族アルコール、飽和又は不飽和脂肪酸及びアルキルフェノールのポリグリコールエーテル誘導体である。  更に適当な非イオン性表面活性剤は、エチレングリコールエーテル基２０〜２５０及びプロピレングリコールエーテル基１０〜１００を含有するポリプロピレングリコール、エチレンジアミノポリプロピレングリコール及びアルキル鎖の炭素数が１〜１０のアルキルポリプロピレングリコールへの水溶性ポリエチレンオキシ付加物である。
【００５７】
言及しうる非イオン性表面活性剤の例はノニルフェノール−ポリエトキシエタノール、ヒマシ油ポリグリコールエーテル、ポリプロピレン−ポリエチレンオキシ付加物、トリブチルフエノキシポリエトキシエタノール、ポリエチレングリコール及びオクチルフェノキシポリエトキシエタノールである。
【００５８】
更にポリオキシエチレンソルビタンの脂肪酸エステル例えばポリオキシエチレンソルビタントリオレエートも適当である。
【００５９】
カチオン性表面活性剤は、炭素数８〜２２のアルキル基少くとも１つをＮ−置換基として含有する四級アンモニウム塩であり、更なる置換基として低級の、随時ハロゲン化されたアルキル基、ベンジル基又は低級ヒドロキシアルキル基を有する、塩は好ましくはハライド、メチルサルフェート又はエチルサルフェートとして存在し、例えばステアリルトリメチルアンモニウムクロライド又はベンジルジ（２−クロルエチル）エチルアンモニウムブロマイドである。
【００６０】
通常の組成物技術で使用される表面活性剤は中でも次の刊行物に記述されている：
マクカチェオン（ＭｃＣｕｃｈｅｏｎ）著「乳化剤と洗剤」、国際版、米国ニュージャージー州、１９９０年。
【００６１】
水溶性の粒剤又は錠剤に対する適当な結合剤は、水又はアルコールに溶解する化学的に改変された重合体の天然物質、例えば殿粉誘導体、セルロース誘導体又は蛋白質誘導体（例えばメチルセルロース、カルボキシメチルセルロース、エチルヒドロキシエチルセルロース又は蛋白質例えばゼイン、ゼラチンなど）並びに合成重合体、例えばポリビニルアルコール又はポリビニルピロリドンなどである。更に充填剤（例えば殿粉、微結晶セルロース、砂糖又は乳糖など）、潤滑剤及び崩壊剤も錠剤に含有される。
【００６２】
本発明による薬剤の、駆除すべき寄生虫への水中投与は、薬剤を溶液、乳化液、懸濁液、粉剤又は錠剤の形でかごの中に添加することによって行うことができる。この時薬剤は魚の動きにより且つ通流する水により容易に溶解・分散する。濃溶液はかごに添加する前に比較的多量の水で希釈してもよい。かごの中での濃度問題は、中でもかごを開ける度に魚が餌の期待から荒々しく動き回り、従って迅速な希釈を保証するから起こることはない。
【００６３】
本発明による抗寄生虫剤は、概して式Ｉの活性物質０．１〜９９重量％、特に０．１〜９５重量％及び表面活性剤０〜２５重量％、特に０．１〜２５重量％を含む固体又は液体添加物９９．９〜１重量％、特に９９．９〜５重量％を含有する。
【００６４】
濃厚薬剤は商品として一層好適なように見えるが、使用者は概してこの商品を水で希釈することによって得られる希釈薬剤を使用する。そのような薬剤は更なる添加剤例えば安定剤、消泡剤、粘度調節剤、結合剤、接着剤及び特別な効果を達成するための他の活性物質も含有しうる。
【００６５】
使用中の活性物質の濃度は、処置の方法及び期間並びに処置すべき魚の年令及び状態に依存する。短期間の処置の場合には、例えば処置期間０．３〜４時間の場合には水１  ｌ当り活性物質０．１〜１００ｍｇ、好ましくは０．５〜１０ｍｇである。
【００６６】
池の処置では、水１  ｌ当り０．０１〜５０ｍｇの活性物質が使用しうる。
【００６７】
餌料添加剤として用いる調製物は例えば次のようなものからなる：
0003572093.tif 000010
温泉療法として用いるための調製物は、溶液、乳化液又は懸濁液濃厚物、例えば以下のものである：
0003572093.tif 000011
【００６８】
【実施例Ａ】
サケシラミに対するイン・ビトロ試験
ガラス皿に海水４０ｍｌを満し、使用する所望の濃度を得るのに十分な量の、活性物質の０．１％（重量）又は１０％（重量）エタノール溶液を添加した。活性物質を含まない海水及び対応する量のエタノールを含むが、活性物質を含まない海水を対照物として用いた。
【００６９】
自然に感染したサケから取った５匹のサケシラミの成虫を各ガラス皿に入れた。ガラス皿を１０〜１２℃に保ち、１、２、５及び２４時間後に検査した。生きている試験動物数及び死んだ数を記録した。結果を下表に示す。
【００７０】
活性物質
【００７１】
【化７】
0003572093.tif 000012
【００７２】
【表１】
0003572093.tif 000013
本発明の特徴及び態様は以下の通りである：
１．昆虫のニコチン様アセチルコリン受容体の作働薬又は拮抗薬の、魚類寄生虫の駆除に対する使用。
【００７３】
２．カリグス（Ｃａｌｉｇｕｓ）、レペオフテイルス（Ｌｅｐｅｏｐｈｔｈｅｉｒｕｓ）及びアルグルス（Ａｒｇｕｌｕｓ）属からの魚類寄生虫の駆除に対する上記１のニコチン様アセチルコリン受容体の作働薬又は拮抗薬の使用。
【００７４】
３．サルモイニデエ（Ｓａｌｍｏｉｎｉｄａｅ）、オンコリンクス（Ｏｎｃｏｒｈｙｎｃｈｕｓ）及びサルベリヌス（Ｓａｌｖｅｌｉｎｕｓ）における寄生虫の駆除に対する上記１のニコチン様アセチルコリン受容体の作働薬又は拮抗薬の使用。
【００７５】
４．魚類寄生虫の駆除薬の製造に対するニコチン様アセチルコリン受容体の作働薬又は拮抗薬の使用。
【００７６】
５．  ニコチン様アセチルコリン受容体の作働薬又は拮抗薬を含む魚類寄生虫の駆除剤。